(57)【特許請求の範囲】
【請求項１】
手書き入力手段を備えた入出力一体型表示装置であり、該表示装置は保護ガラス板が視認側最外にあり、且つ該保護ガラス板と対向する部材とで空隙部が形成されたものであり、前記保護ガラスは、フロート法で製造されたヤング率が７１〜７４ＧＰａ、ポアソン比が０．２２〜０．２４であるガラスが化学的に強化されもので、表面圧縮応力が２００〜６５０ＭＰａ、反りが０．１５〜０．１８％であり、ガラスのトップ面側が前記空隙部側に配置されてなることを特徴とする入出力一体型表示装置。
【請求項２】
ガラスのトップ面側の圧縮応力がボトム面側の圧縮応力の１．０３倍以上であることを特徴とする請求項１に記載の入出力一体型表示装置。
【請求項３】
保護ガラス板の厚みが０．３ｍｍ〜１．１ｍｍであることを特徴とする請求項１又は請求項２に記載の入出力一体型表示装置。
【請求項４】
保護ガラス板の対角線距離が３０〜５５ｃｍであることを特徴とする請求項１乃至請求項３のいずれかに記載の入出力一体型表示装置。
【請求項５】
入出力一体型表示装置に使用される保護ガラス板であり、該保護ガラス板は、フロート法で製造されたヤング率が７１〜７４ＧＰａ、ポアソン比が０．２２〜０．２４である厚みが０．３ｍｍ〜１．１ｍｍのガラスが化学的に強化されもので、表面圧縮応力が２００〜６５０ＭＰａ、反りが０．１５〜０．１８％であることを特徴とする保護ガラス板。
【発明の詳細な説明】
【技術分野】
【０００１】
本発明は、タブレット板を使用することで、入力ペン等で手書き入力を可能とした入出力一体型表示装置に関し、特には該表示装置を長期に使用せしめるための保護ガラス板に関する。
【背景技術】
【０００２】
液晶表示パネルや有機ＥＬパネル等の平面表示パネル等の表示パネルにタブレット板を設けることで、文字、パターン等を入力ペン等のデータ入力装置で手書き入力できるようにするとともに、その入力内容を表示パネルに表示するようにした表示装置が市販されている。
【０００３】
該表示装置は、入力時に生ずる局所的な圧力を回避して表示品位を保つために視認側に透明な保護板が設けられている（例えば、特許文献１の図４、又は特許文献２の図１を参照）。そして、強度、耐光性、透光性等を考慮して、該保護板には、ガラス板を使用することが好まれている。
【０００４】
そして、前記表示装置には、表示面積の大面積化、携帯のための軽量化等が要求されており、それに応じて前記表示装置に使用される保護ガラス板も、大面積化、軽量化のためのガラス厚みの減少化等が求められている。
【特許文献１】特開平６−７５２１３号公報
【特許文献２】特開２００４−２４０５４８号公報
【発明の開示】
【発明が解決しようとする課題】
【０００５】
保護ガラス板は、特許文献１の図４、又は特許文献２の図１で開示されているように、表示パネル等の保護ガラス板と対向する部材とは、空隙を設けて設置される。表示装置は、水平〜斜めに置かれた状態で使用されるので、表示装置の表示面積が広い場合や保護ガラス板の厚みが薄い場合、保護ガラス板に自重により撓みが発生しやすい。
【０００６】
そしてその撓みにより保護ガラス板が表示パネル等の保護ガラス板と対向する部材により接触、又は撓みに保護ガラス板と表示パネル等との距離が短くなるので、データ入力装置を保護ガラスに接触させたときに保護ガラス板が表示パネル等に接触し、表示パネル等の保護ガラス板と対向する部材と接触が発生する等の問題が発生する。この接触を回避するために前記空隙間隔を長くする等の対策をとりうるが、この対策は、前記表示装置の肥大化、重量化等をもたらすので解決手段とはなりにくい。
【０００７】
前記したようなガラスの撓みは、保護ガラス板の対角線距離が３０〜５５ｃｍである場合、保護ガラス板の厚みが０．３〜１．１ｍｍの場合に特に顕著な問題となりやすい。従って、本発明では、保護ガラス板の撓み発生による保護ガラス板と表示パネル等の保護ガラス板と対向する部材との接触がおきにくい入出力一体型表示装置を提供することを課題とする。
【課題を解決するための手段】
【０００８】
すなわち本発明の手書き入力手段を備えた入出力一体型表示装置は、保護ガラス板が視認側最外にあり、且つ該保護ガラス板と対向する部材とで空隙部が形成されたものあり、前記保護ガラスは、フロート法で製造されたヤング率が７１〜７４ＧＰａ、ポアソン比が０．２２〜０．２４であるガラスが化学的に強化されもので、表面圧縮応力が２００〜６５０ＭＰａ、反りが０．１５〜０．１８％であり、ガラスのトップ面側が前記空隙部側に配置されてなることを特徴とする。
【０００９】
尚、上記表面圧縮応力及び反りは、ＪＩＳ  Ｒ３２２２（２００３年）に準拠した方法で得られたものである。
【００１０】
フロート法で製造される所謂ソーダライムガラスと呼ばれるＳｉＯ２−Ｎａ２Ｏ−Ｋ２Ｏ−ＣａＯ−ＭｇＯ−Ａｌ２Ｏ３系ガラスは、ヤング率が７１〜７４ＧＰａ、ポアソン比が０．２２〜０．２４の値を有している。そして、このガラスを溶融塩に浸漬させる化学強化処理を行うことでガラス中のナトリウムイオンと溶融塩中のカリウムイオンとが交換されるガラス表層に圧縮層が形成される。
【００１１】
フロート法で製造されたガラスの場合、ガラス製造過程中で錫浴に接した側、所謂ボトム面側と、その反対側、所謂トップ面側とでは、イオンの交換速度が異なる。その結果、トップ面側の方が、表面圧縮応力が大きくなる傾向がある。本発明では、この現象に着目した。
【００１２】
化学的に強化がなされたガラスのトップ面を前記空隙部側に配置することにより、本発明の入出力一体型表示装置は垂直に置かれた状態では、保護ガラスは、視認側に凸状となるが、水平乃至斜めに置かれた状態となった際のガラスの撓み発生が生じても、該保護ガラス板と対向する部材との接触を回避しやすくなる。
【００１３】
そして、前記した接触の回避と表示装置の視認性、及び収納性の観点より、保護ガラスの反りは、０．１５〜０．１８％とされなければならない。０．１５％未満では、前記した接触の回避の効果が十分でなく、０．１８％超では、保護ガラス板への周囲からの写り込みが多くなるので表示装置の視認性が悪くなる、又はノートパソコン等に本発明の表示装置を適用した場合に収納性が悪くなる等の問題が生じる。又、保護ガラスの反りを確保するためには、ガラスのトップ面側の圧縮応力をボトム面側の圧縮応力の１．０３以上、より好ましくは１．０３倍以上１．１５倍以下とすることが好ましい。
【００１４】
保護ガラス板が薄い場合、又は面積が広い場合に特にガラスの撓みに起因する前記したような接触が問題となりやすくなるので、本発明の表示装置の場合、保護ガラス板の厚みが、０．３ｍｍ〜１．１ｍｍの場合、及び／又は、対角線距離が３０〜５５ｃｍの比較的大きな面積を有する保護板ガラスとした場合に特に有効となる。
【発明の効果】
【００１５】
本発明の入出力一体型表示装置は、それに使用される保護ガラス板に生じる撓みによって生じる保護ガラス板と保護ガラス板と対向する部材との接触と回避を行いやすいので、該表示装置を長期使用せしめることに効果があり、又、該対向による空隙部の距離を短くできる等の効果を発揮するので、該表示装置の軽量化に奏功する。
【発明を実施するための最良の形態】
【００１６】
本発明の手書き入力手段を備えた入出力一体型表示装置は、保護ガラス板が視認側最外にあり、且つ該保護ガラス板と対向する部材とで空隙部が形成されたものである。図１は、本発明による入出力一体型表示装置１を模式的に表した断面図で、（ａ）は、水平に置かれた状態、（ｂ）は垂直に置かれた状態を表している。表示装置１は、保護ガラス板２、ディスプレイパネル（保護ガラス板と対向する部材）３、デジタイザー等によるタブレット板よりなる手書き入力手段４ａ、入力ペン４ｂを有している。
【００１７】
保護ガラス板２は、フロート法で製造される所謂ソーダライムガラスと呼ばれるＳｉＯ２−Ｎａ２Ｏ−Ｋ２Ｏ−ＣａＯ−ＭｇＯ−Ａｌ２Ｏ３系ガラスが使用され、その表面は、化学強化処理により圧縮層が形成されたものである。この圧縮層は、圧縮応力値において、２００〜６５０ＭＰａの値を有するもので、当該値を有するように、ガラスを化学強化する際に、浸漬させるための溶融塩の温度を４５０〜５５０℃、浸漬時間を１時間〜３時間とすることが好ましい。
【００１８】
本発明の保護ガラス板のために使用されるガラスは、ＪＩＳ  Ｒ３１０３−２（２００１年）に準拠した方法で得られる歪点温度が５００℃〜５２０℃であるので、ガラスの変形が生じやすい当該温度付近、すなわち溶融塩の温度を４９０〜５３０℃とすることが好ましい。
【００１９】
保護ガラス板２には、必要に応じ、低反射機能、アンチグレア機能を有する膜、表示のコントラストを向上させるための偏光子膜が設けられてもよい。これら機能を有する膜は、前記した機能を有するプラスチックシートを保護ガラス２に貼付して設けてもよいし、塗布や蒸着等の手段で設けてもよい。
【００２０】
表示装置１は、保護ガラス板２とディスプレイパネル３等を一体化させるための部材を有している。この部材や表示装置１の周縁側に設けられた配線を覆い隠すために、保護ガラス板２の周縁には、覆い隠すに足る幅を有するマスキング層、好ましくは吸光度が３、より好ましくは４以上のマスキング層が設けられることが好ましい。
【００２１】
このマスキング層は、熱硬化性合成樹脂と、顔料、染料とを含む調合物を塗布し、乾燥、加熱等することで形成することができる。前記熱硬化合成樹脂としては、エポキシ樹脂、アクリルシリコン樹脂、アルキッド樹脂、ポリアミド樹脂、フッ素樹脂等を用いることができる。
【００２２】
前記顔料としては、酸化鉄、酸化銅、酸化クロム、酸化コバルト、酸化マンガン、酸化アルミニウム、酸化亜鉛、クロム酸鉛、硫酸鉛、モリブデン酸鉛等から選ばれる１種または複数の材料を混合したもうを使用できる。
【００２３】
前記染料としてはジオキサジン系、フタロシアニン系、アントラキノン系の有機物等を用いることができる。塗布のためにこの混合物をペースト状にするための媒体としては、ジエチレングリコールモノブチルエーテルアセテート、エチレングリコールモノブチルエーテルなどの溶剤を用いることができる。また硬化反応促進剤として変性脂肪族ポリアミン樹脂、Ｎ−ブタノールなどを混合してもよい。
【００２４】
前記マスキング層の厚さは３５μｍ以下、特に３０μｍ以下であることが好ましい。マスキング層の厚さが３５μｍよりも大きいと、マスキング層表面とガラス基板表面との境界部の段差が大きくなり、前記したようなフィルムを設けた場合、この段差部分に気泡が残留し易くなる。
【００２５】
ディスプレイパネル３は、通常は液晶表示パネルが使用されるが、場合によっては、有機ＥＬディスプレイ、プラズマディスプレイパネル等の他の表示パネルが使用されることもある。
【００２６】
手書き入力手段４ａ、及び入力ペン４ｂによる機能発現例は、特許文献２で紹介されている。図２に一例として、特許文献２で紹介されているタブレットの回路等を紹介する。図２におけるタブレット回路４１は、次ぎに示す符号３０〜４０で示されるデバイスにより構成される。３０は位置検出部であり、複数のループコイルがＸ軸方向およびＹ軸方向にそれぞれ、ループコイルＸ１〜Ｘ４０およびループコイルＹ１ 〜Ｙ４０として配置されている。これらのループコイルは各ループコイルを選択する選択回路３１に接続されている。
【００２７】
上記選択回路３１は送受切替回路３２に接続され、該送受切替回路３２の受信側（Ｒ）は加算増幅回路（加算回路）３４の一方の入力端子に接続され、この加算増幅回路３４の出力は検波回路３５に接続されている。検波回路３５の出力はＡＤ変換回路３６に接続され、ＡＤ変換回路３６の出力はＣＰＵ（中央処理装置）３７に接続されている。
【００２８】
発振器３３は一定周波数ｆ０の交流信号を発生するものであり、この交流信号は送受切替回路３２の送信側（Ｔ）に接続されており、位置検出部３０中の選択された１本のループコイルから周波数ｆ０の交流磁界が放射される。又、３８はノイズ検出コイルであり、可変利得増幅回路３９に接続されている。可変利得増幅回路３９の出力は加算増幅回路３４の他方の入力端子に接続されている。
【００２９】
さらに、ＣＰＵ３７にはメモリ４０が接続されていおり、該ＣＰＵ３７は制御信号（情報）を、選択回路３１、送受切替回路３２および可変利得増幅回路３９にそれぞれ送出する。
【００３０】
一方、入力ペン４２（４ｂ）は、その内部にコイルおよびコンデンサを含む、周波数ｆ０で共振する共振回路が設けられている。このような構成を有するタブレット回路４１および位置指示器（ペン）４２において、指示位置の座標値は、該位置指示器（ペン）４２からの信号は検波回路３５により直流電圧に変換され、ＡＤ変換回路３６によりデジタル値に変換された後、ＣＰＵ３７において座標計算されて求めることができる。
【実施例】
【００３１】
実施例１
珪砂、長石、炭酸ナトリウム、硫酸ナトリウム、ドロマイト、石灰石、およびガラスカレットよりなる調合原料を用い、商業規模のフロート法により厚みが１．１ｍｍ、２５．５ｃｍ×１６．５ｃｍで対角線距離が３０．５ｃｍである表１に示す性状を有するＳｉＯ２−Ｎａ２Ｏ−Ｋ２Ｏ−ＣａＯ−ＭｇＯ−Ａｌ２Ｏ３系ガラス、所謂ソーダライムガラスとされるものを硝酸カリウム溶融塩中に表２に記した条件で化学強化処理を行った。このガラスの周縁端部のトップ面側にマスキング層を得るための薬液「ＧＬＳ−９１２墨；帝国インキ製造（株）製」を塗布し、１５０℃で加熱して周縁端部に１０ｍｍ幅で２５μｍ厚のマスキング層が形成された保護ガラス板を得た。該保護ガラス板で得られた圧縮応力値、反りを表２に示す。
【００３２】
該保護ガラス板とディスプレイパネル３として液晶表示パネルを用い図１の構造を有する入出力一体型表示装置を組み立て、該表示装置を水平に置いたときの、保護ガラス板とディスプレイパネルとで形成される空隙間距離を市販のレーザー距離計を用いて測定した。前記空隙距離については、ガラス端部で２．５ｍｍとなるように設計されている。結果を表３に示す。該表示装置は水平に置かれた状態で空隙距離が２．５ｍｍ未満となる箇所がなく、又、人の手でもって入力ペンで圧をかけつつデータ入力を行った際にも保護ガラス板とディスプレイパネルとの接触が発生することはなかった。
【００３３】
【表１】
0004679272.tif 000002
【００３４】
【表２】
0004679272.tif 000003
【００３５】
【表３】
0004679272.tif 000004
実施例２
ガラスの厚みを０．５５ｍｍとし、ガラスを化学強化する条件を表２に示したものとした以外は実施例１と同様とした。保護ガラス板の結果を表２、入出力一体型表示装置で得られた結果を表３に示す。該表示装置は水平に置かれた状態で空隙距離が２．５ｍｍ未満となる箇所がなく、又、人の手でもって入力ペンで圧をかけつつデータ入力を行った際にも保護ガラス板とディスプレイパネルとの接触が発生することはなかった。  
【００３６】
実施例３
ガラスを化学強化する条件を表２に示したものとした以外は実施例２と同様とした。保護ガラス板の結果を表２、入出力一体型表示装置で得られた結果を表３に示す。該表示装置は水平に置かれた状態で空隙距離が２．５ｍｍ未満となる箇所がなく、又、人の手でもって入力ペンで圧をかけつつデータ入力を行った際にも保護ガラス板とディスプレイパネルとの接触が発生することはなかった。  
【００３７】
比較例１
ガラスを化学強化する条件を表２に示したものとした以外は実施例２と同様とした。保護ガラス板の結果を表２、入出力一体型表示装置で得られた結果を表３に示す。該表示装置は水平に置かれた状態で空隙距離が２．５ｍｍ未満となる箇所がなく、又、人の手でもって入力ペンで圧をかけつつデータ入力を行った際にも保護ガラス板とディスプレイパネルとの接触が発生することはなかった。しかしながら、表示装置を垂直に置いたときに、視認性が周囲からの写りこみが多く、視認性が悪くなった。又、該表示装置をノートパソコンの表示装置とすると、折りたたんだとき、すなわち収納したときに保護ガラス板とパソコンのキーボードが接触する等の問題が生じた。  
【００３８】
比較例２
ガラスを化学強化する条件を表２に示したものとした以外は実施例１と同様とした。保護ガラス板の結果を表２、入出力一体型表示装置で得られた結果を表３に示す。該表示装置は水平に置かれた状態で中央部の空隙距離が２．５ｍｍ未満となり、人の手でもって入力ペンで圧をかけつつデータ入力を行った際にも保護ガラス板とディスプレイパネルとの接触が発生した。  
【図面の簡単な説明】
【００３９】
【図１】本発明による入出力一体型表示装置を模式的に表した断面図で、（ａ）は水平に置かれた状態、（ｂ）は垂直に置かれた状態を表している。
【図２】手書き入力手段４ａ、及び入力ペン４ｂによる機能発現のためのタブレットの回路例を示す図である。
【符号の説明】
【００４０】
１    入出力一体型表示装置
２    保護ガラス板
３    ディスプレイパネル（保護ガラス板と対向する部材）
４ａ  手書き入力手段
４ｂ  入力ペン
５    保護ガラス板と保護ガラス板と対向する部材との間に生じる空隙部
【図１】
0004679272.tif 000005
【図２】
0004679272.tif 000006